(57)【要約】【課題】各機器と無線通信を行う情報端末装置に供給する電源が商用電源からバッテリー電源に変わった時、情報端末装置の使用の利便性を高めるようにする。【解決手段】情報端末装置が通常通り使用可能な状態で、供給される電源である商用電源が止まり（Ｓ１）、バッテリー電源に変わった時（Ｓ２）、まず表示画面をトップメニューに強制的に遷移させる（Ｓ３）。次に、表示装置である液晶パネルのバックライトを消灯させる（Ｓ４）。電源ＬＥＤを点灯から点滅に変え（Ｓ５）、警報音を数秒間発生させる（Ｓ６）。また、他の機能、例えば情報処理サーバ装置への送受信や機器からの情報の送受信、アプリケーションソフトウエアの起動等を中止する（Ｓ７、Ｓ８）。供給される電源である商用電源が回復し、バッテリー駆動から商用電源にもどった時には、情報端末装置はトップメニューをすぐ表示するので、再度通常通りすぐに使用が可能となる。【選択図】図３
2005110167.tif 000002
【特許請求の範囲】
【請求項１】
機器に関する機器情報を収集する情報送受信部、バッテリー部および商用電源供給部を備えた情報端末装置と、前記情報端末装置との間で情報を送受信する情報処理サーバ装置および通信装置と、前記情報端末装置と前記情報処理サーバ装置とを接続するデータ通信回線網と、前記情報端末装置と外部電話へ通信可能な音声通信回線網とを備え、前記情報端末装置に供給する電源が商用電源からバッテリーに変わった時に、前記情報端末装置の表示装置のバックライトを消灯させ、電源ＬＥＤを点滅させ、警報音を発生させ、表示画面をトップメニューに遷移させ、他の機能を止めることを特徴とする情報システム。
【請求項２】
機器に関する機器情報を収集する情報送受信部、バッテリー部および商用電源供給部を備えた情報端末装置と、前記情報端末装置との間で情報を送受信する情報処理サーバ装置および通信装置と、前記情報端末装置と前記情報処理サーバ装置とを接続するデータ通信回線網と、前記情報端末装置と外部電話へ通信可能な音声通信回線網とを備え、前記情報端末装置に供給する電源が商用電源からバッテリーに変わった時に、前記情報端末装置の表示装置のバックライトを消灯させ、電源ＬＥＤを点滅させ、警報音を発生させ、表示画面をトップメニューに遷移させ、前記情報処理サーバ装置への送受信を止め、機器からの情報の送受信も止めることを特徴とする情報システム。
【請求項３】
機器に関する機器情報を収集する情報送受信部と、バックアップ用の電源としてのバッテリー部と、通常使用する商用電源供給部とを備え、前記情報端末装置に供給する電源が商用電源からバッテリーに変わった時に、表示画面がトップメニューに遷移しバックライトが消灯する表示装置部と、点滅する電源ＬＥＤ部と、警報音が発生する音声部と、他の機能を止める情報処理部とを備えてなる情報端末装置。
【請求項４】
機器に関する機器情報を収集する情報送受信部と、バックアップ用の電源としてのバッテリー部と、通常使用する商用電源供給部とを備え、前記情報端末装置に供給する電源が商用電源からバッテリーに変わった時に、表示画面がトップメニューに遷移しバックライトが消灯する表示装置部と、点滅する電源ＬＥＤ部と、警報音が発生する音声部と、前記情報処理サーバ装置への送受信を止めるデータ通信処理部と、機器からの情報の送受信も止める情報送受信部とを備えてなる情報端末装置。
【請求項５】
前記情報端末装置に供給する電源が商用電源からバッテリー電源に変わった時に、前記情報端末装置の表示画面をトップメニューに遷移させるステップと、表示装置のバックライトを消灯させるステップと、電源ＬＥＤを点滅させるステップと、警報音を発生させるステップと、他の機能を止めるステップとを備えてなる制御方法。
【請求項６】
前記情報端末装置に供給する電源が商用電源からバッテリー電源に変わった時に、前記情報端末装置の表示画面をトップメニューに遷移させるステップと、表示装置のバックライトを消灯させるステップと、電源ＬＥＤを点滅させるステップと、警報音を発生させるステップと、前記情報処理サーバ装置への送受信を止め、機器からの情報の送受信も止めるステップとを備えてなる制御方法。
【請求項７】
各々のコンピュータに、前記情報端末装置に供給する電源が商用電源からバッテリー電源に変わった時に、前記情報端末装置の表示装置のバックライトを消灯させ、電源ＬＥＤを点滅させ、警報音を発生させ、表示画面をトップメニューに遷移させ、前記情報処理サーバ装置への送受信を止め、機器からの情報の送受信も止めるものとして機能させるためのプログラム。
【発明の詳細な説明】
【技術分野】
【０００１】
本発明は、家庭内の１つまたは複数の機器の情報を収集することができる情報端末装置で、前記情報端末装置の停電時に関する情報システム、情報端末装置、制御方法およびそのプログラムに関するものである。
【背景技術】
【０００２】
従来、情報端末装置に供給する電源が商用電源からバッテリー電源に変わった時、すなわち情報端末装置がバッテリー駆動になった時、商用電源の時と変わらずに通常通り使用できるものであるので、いつバッテリー駆動になったのかもわからず、またバッテリー容量もすぐになくなってしまうものであった。
【０００３】
また最近では、供給する電源が商用電源からバッテリー電源に変わった時、情報端末装置の表示画面のバックライトの輝度を下げるものもある（例えば、特許文献１参照）。
【特許文献１】特開２００２−７２１６５号公報
【発明の開示】
【発明が解決しようとする課題】
【０００４】
しかしながら、前記従来の構成では、情報端末装置に供給する電源が商用電源からバッテリー電源に変わった時、すなわち情報端末装置がバッテリー駆動になった時、商用電源の時と変わらずに通常通り使用できるので、いつバッテリー駆動になったのかがわからないという欠点がある。また、このようにバッテリー駆動で通常動作をしておくと、バッテリー残量がすぐになくなってしまい、使用に支障をきたすという課題もある。
【０００５】
さらに、供給する電源が商用電源からバッテリー電源に変わった時、情報端末装置の表示画面のバックライトの輝度を下げるものもあるが、使用者にとって見にくくなってしまうという課題がある。
【０００６】
本発明は、このような課題を解決するために、まず情報端末装置に供給する電源が商用電源からバッテリー電源に変わった時に、情報端末装置の表示画面をトップメニューに遷移させ、表示画面のバックライトを消灯させ、電源ＬＥＤを点滅させ、警報音を発生させ、情報処理サーバ装置への送受信を止め、機器からの情報の送受信も止めるようにすることによって、バッテリー電源で駆動されていることを明確にし、情報端末装置の使用の利便性を高めるようにしたものである。
【０００７】
また、バッテリー駆動ではサーバへの情報送受信や機器への送受信も行っていないので、バッテリー残量をある程度寿命を延ばすことができ、使用者は気付いた時に商用電源に切り替えられるようにしたものである。
【０００８】
このようにして、本発明は情報端末装置がバッテリー電源で駆動されていることが使用者にすぐに明確に認識でき、気付いた時に商用電源に切り替えられ、さらに、バッテリーによる駆動可能時間をある程度延ばすことができるようにした情報システム、情報端末装置、制御方法およびそのプログラムを提供することを目的とするものである。
【課題を解決するための手段】
【０００９】
前記従来の課題を解決するために、本発明の情報システムは、機器に関する機器情報を収集する情報送受信部、バッテリー部および商用電源供給部を備えた情報端末装置と、前記情報端末装置との間で情報を送受信する情報処理サーバ装置および通信装置と、前記情報端末装置と前記情報処理サーバ装置とを接続するデータ通信回線網と、前記情報端末装置と外部電話へ通信可能な音声通信回線網とを備え、前記情報端末装置に供給する電源が商用電源からバッテリー電源に変わった時に、前記情報端末装置の表示装置のバックライトを消灯させ、電源ＬＥＤを点滅させ、警報音を発生させ、表示画面をトップメニューに遷移させ、前記情報処理サーバ装置への送受信を止め、機器からの情報の送受信も止めることを特徴とする情報システムを提供するものである。
【００１０】
また、本発明の制御方法は、前記情報端末装置に供給する電源が商用電源からバッテリー電源に変わった時に、前記情報端末装置の表示画面をトップメニューに遷移させるステップと、表示装置のバックライトを消灯させるステップと、電源ＬＥＤを点滅させるステップと、警報音を発生させるステップと、前記情報処理サーバ装置への送受信を止め、機器からの情報の送受信も止めるステップとを備えてなる制御方法を提供するものである。
【００１１】
すなわち、本発明は、情報端末装置に供給する電源が商用電源からバッテリー電源に変わった時、すなわち停電時や電源コードがはずれたような時に、情報端末装置の表示画面をトップメニューに遷移させ、表示画面のバックライトを消灯させ、電源ＬＥＤを点滅させ、警報音を発生させ、情報処理サーバ装置への送受信を止め、機器からの情報の送受信も止めるようにすることによって、バッテリー電源で駆動されていることを明確にし、情報端末装置の使用の利便性を高めるようにしたものである。
【００１２】
また、バッテリー駆動ではサーバへの情報送受信や機器への送受信も行っていないので、ある程度の時間バッテリー駆動が可能であり、使用者は気付いた時に商用電源に切り替えられるようにしたものである。さらに、バッテリー駆動から商用電源にもどした時に、情報端末装置はトップメニューをすぐ表示するので、再度通常通り使用が可能となる。
【００１３】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができるものである。
【発明の効果】
【００１４】
以上のように、本発明の情報システム、情報端末装置、制御方法およびそのプログラムによれば、機器に関する機器情報を収集する情報送受信部、バッテリー部および商用電源供給部を備えた情報端末装置において、情報端末装置に供給する電源が商用電源からバッテリー電源に変わった時、例えば停電時や電源コードが外れた時等に、情報端末装置の表示画面をトップメニューに遷移させ、表示画面のバックライトを消灯させ、電源ＬＥＤを点滅させ、警報音を発生させ、情報処理サーバ装置への送受信を止め、機器からの情報の送受信も止め、情報端末装置の使用の利便性、信頼性を高めるようにしたものである。
【００１５】
すなわち、本発明は、情報端末装置に供給する電源が商用電源からバッテリー電源に変わった時、すなわち停電時や電源コードがはずれたような時に、情報端末装置の表示画面をトップメニューに遷移させ、表示画面のバックライトを消灯させ、電源ＬＥＤを点滅させ、警報音を発生させ、情報処理サーバ装置への送受信を止め、機器からの情報の送受信も止めるようにすることによって、バッテリー電源で駆動されていることを明確にし、情報端末装置の使用の利便性を高める効果を有するものである。
【００１６】
情報端末装置の表示画面をトップメニューに遷移させるので長時間の電源駆動が必要な処理をさせることもない（いつバッテリーが切れてもＨＤＤなどへの書き込みがクラッシュするなどの大きな損害がない）。さらに表示画面のバックライトを消灯させているあいだはトップメニューなので、使用者が不用意に操作しても細かな設定変更などを行う余計な処理をすることを防ぐことができる。
【００１７】
また、バッテリー駆動ではサーバへの情報送受信や機器への送受信も行っていないので、ある程度の時間バッテリー駆動が可能であり、使用者は気付いた時に商用電源に切り替えられるようにしたものである。さらに、バッテリー駆動から商用電源にもどした時に、情報端末装置はトップメニューをすぐ表示するので、再度すぐに通常通り使用できるという効果を有するものである。
【００１８】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができ、システムの信頼性を確実に向上させることができるという効果を有するものである。
【発明を実施するための最良の形態】
【００１９】
第１の発明は、機器に関する機器情報を収集する情報送受信部、バッテリー部および商用電源供給部を備えた情報端末装置と、前記情報端末装置との間で情報を送受信する情報処理サーバ装置および通信装置と、前記情報端末装置と前記情報処理サーバ装置とを接続するデータ通信回線網と、前記情報端末装置と外部電話へ通信可能な音声通信回線網とを備え、前記情報端末装置に供給する電源が商用電源からバッテリー電源に変わった時に、前記情報端末装置の表示装置のバックライトを消灯させ、電源ＬＥＤを点滅させ、警報音を発生させ、表示画面をトップメニューに遷移させ、他の機能を止めることを特徴とする情報システムを提供するものである。
【００２０】
これによって、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができ、情報端末装置の使用の利便性を高めることができるものである。
【００２１】
第２の発明は、機器に関する機器情報を収集する情報送受信部、バッテリー部および商用電源供給部を備えた情報端末装置と、前記情報端末装置との間で情報を送受信する情報処理サーバ装置および通信装置と、前記情報端末装置と前記情報処理サーバ装置とを接続するデータ通信回線網と、前記情報端末装置と外部電話へ通信可能な音声通信回線網とを備え、前記情報端末装置に供給する電源が商用電源からバッテリー電源に変わった時に、前記情報端末装置の表示装置のバックライトを消灯させ、電源ＬＥＤを点滅させ、警報音を発生させ、表示画面をトップメニューに遷移させ、前記情報処理サーバ装置への送受信を止め、機器からの情報の送受信も止めることを特徴とする情報システムを提供するものである。
【００２２】
これによって、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができ、情報端末装置の使用の利便性を高めることができるものである。
【００２３】
第３の発明は、機器に関する機器情報を収集する情報送受信部と、バックアップ用の電源としてのバッテリー部と、通常使用する商用電源供給部とを備え、前記情報端末装置に供給する電源が商用電源からバッテリー電源に変わった時に、表示画面がトップメニューに遷移しバックライトが消灯する表示装置部と、点滅する電源ＬＥＤ部と、警報音が発生する音声部と、他の機能を止める情報処理部とを備えてなる情報端末装置を提供するものである。
【００２４】
これによって、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができ、情報端末装置の使用の利便性を高めることができるものである。
【００２５】
第４の発明は、機器に関する機器情報を収集する情報送受信部と、バックアップ用の電源としてのバッテリー部と、通常使用する商用電源供給部とを備え、前記情報端末装置に供給する電源が商用電源からバッテリー電源に変わった時に、表示画面がトップメニューに遷移しバックライトが消灯する表示装置部と、点滅する電源ＬＥＤ部と、警報音が発生する音声部と、前記情報処理サーバ装置への送受信を止めるデータ通信処理部と、機器からの情報の送受信も止める情報送受信部とを備えてなる情報端末装置を提供するものである。
【００２６】
これによって、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができ、情報端末装置の使用の利便性を高めることができるものである。
【００２７】
第５の発明は、前記情報端末装置に供給する電源が商用電源からバッテリー電源に変わった時に、前記情報端末装置の表示画面をトップメニューに遷移させるステップと、表示装置のバックライトを消灯させるステップと、電源ＬＥＤを点滅させるステップと、警報音を発生させるステップと、他の機能を止めるステップとを備えてなる制御方法を提供するものである。
【００２８】
これによって、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができ、情報端末装置の使用の利便性を高めることができるものである。
【００２９】
第６の発明は、前記情報端末装置に供給する電源が商用電源からバッテリー電源に変わった時に、前記情報端末装置の表示画面をトップメニューに遷移させるステップと、表示装置のバックライトを消灯させるステップと、電源ＬＥＤを点滅させるステップと、警報音を発生させるステップと、前記情報処理サーバ装置への送受信を止め、機器からの情報の送受信も止めるステップとを備えてなる制御方法を提供するものである。
【００３０】
これによって、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができ、情報端末装置の使用の利便性を高めることができるものである。
【００３１】
第７の発明は、各々のコンピュータに、前記情報端末装置に供給する電源が商用電源からバッテリー電源に変わった時に、前記情報端末装置の表示装置のバックライトを消灯させ、電源ＬＥＤを点滅させ、警報音を発生させ、表示画面をトップメニューに遷移させ、前記情報処理サーバ装置への送受信を止め、機器からの情報の送受信も止めるものとして機能させるためのプログラムを提供するものである。
【００３２】
またプログラムであるので汎用コンピュータや情報端末機器を用いて本発明の情報システムの少なくとも一部を容易に実現することができる。また記録媒体に記録したり通信回線を用いてプログラムを配信したりすることでプログラムの配布やインストール作業が簡単にできる。
【００３３】
以上のような構成とすることにより、本発明によれば、機器に関する機器情報を収集する情報送受信部、バッテリー部および商用電源供給部を備えた情報端末装置において、情報端末装置に供給する電源が商用電源からバッテリー電源に変わった時、例えば停電時や電源コードが外れた時等に、情報端末装置の表示画面をトップメニューに遷移させ、表示画面のバックライトを消灯させ、電源ＬＥＤを点滅させ、警報音を発生させ、情報処理サーバ装置への送受信を止め、機器からの情報の送受信も止め、情報端末装置の使用の利便性、信頼性を高めるようにしたものである。
【００３４】
すなわち、本発明は、情報端末装置に供給する電源が商用電源からバッテリー電源に変わった時、すなわち停電時や電源コードがはずれたような時に、情報端末装置の表示画面をトップメニューに遷移させ、表示画面のバックライトを消灯させ、電源ＬＥＤを点滅させ、警報音を発生させ、情報処理サーバ装置への送受信を止め、機器からの情報の送受信も止めるようにすることによって、バッテリー電源で駆動されていることを明確にし、情報端末装置の使用の利便性を高めるようにしたものである。
【００３５】
また、バッテリー駆動ではサーバへの情報送受信や機器への送受信も行っていないので、ある程度の時間バッテリー駆動が可能であり、使用者は気付いた時に商用電源に切り替えられるようにしたものである。さらに、バッテリー駆動から商用電源にもどした時に、情報端末装置はトップメニューをすぐ表示するので、再度すぐに通常通り使用できるようにしたものである。
【００３６】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができ、システムの信頼性を確実に向上させることができるというものである。
【００３７】
以下、本発明の実施の形態について、図面を参照しながら説明する。なお、この実施の形態によって本発明が限定されるものではない。
【００３８】
（実施の形態１）
図１は、本発明の第1の実施の形態における情報システムのシステム全体を概略的に示す構成説明図を示すものである。以下に本実施の形態における構成を説明する。
【００３９】
図１に示す本実施の形態のシステムは、各家庭１００に設置された冷蔵庫１５、エアコン１６等の家電機器と人感センサ１７や開閉センサ１８等のセンサ機器を無線通信によって接続した情報端末装置１と、情報端末装置１のバックアップ電池としてのバッテリー３０、情報端末装置に電源を供給する商用電源供給部４０、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【００４０】
本情報システムは、各家電機器等と無線通信によって接続されており、各機器からの情報収集を行い、各機器へのデータ送信を行う。これらの収集された情報や入力部によって入力されたデータ等を処理し、データ通信回線網１３、回線接続手段４および宅外回線網１２を経由して外部にあるセンターサーバ装置１０および電話１１等の外部の通信装置と送受信することができるものである。
【００４１】
具体的には、通信機器の送受信は、アナログ電話回線網を用いて回線接続手段であるモデム、スプリッター等を介してＩＳＰ（インターネットサービスプロバイダ）にダイヤルアップ接続（ＰＰＰ接続）し、そこから宅外回線網（ＷＥＢ）を通じてセンターサーバ装置にＴＣＰ／ＩＰ接続することができるものである。また、別のブロードバンドであるＡＤＳＬ回線網を用いてデータ通信回線網、回線接続手段を介して直接にセンターサーバ装置にＡＤＳＬ接続することもできるものである。さらに、通信機器の送受信の接続回線網はＦＴＴＨのような光ファイバー網でもよい。
【００４２】
また、端末機器は給湯器、温水利用システム、ガスメータ、電力メータ、水道メータ等でもよい。
【００４３】
このような情報システムにおいて、情報端末装置に供給する電源が商用電源からバッテリー電源に変わった時、例えば停電時や電源コードが外れた時等に、情報端末装置の表示画面をトップメニューに遷移させ、表示画面のバックライトを消灯させ、電源ＬＥＤを点滅させ、警報音を発生させ、情報処理サーバ装置への送受信を止め、機器からの情報の送受信も止め、情報端末装置の使用の利便性、信頼性を高めるようにしたものである。
【００４４】
すなわち、本発明は、情報端末装置に供給する電源が商用電源からバッテリー電源に変わった時、すなわち停電時や電源コードがはずれたような時に、情報端末装置の表示画面をトップメニューに遷移させ、表示画面のバックライトを消灯させ、電源ＬＥＤを点滅させ、警報音を発生させ、情報処理サーバ装置への送受信を止め、機器からの情報の送受信も止めるようにすることによって、バッテリー電源で駆動されていることを明確にし、情報端末装置の使用の利便性を高めるようにしたものである。
【００４５】
また、バッテリー駆動ではサーバへの情報送受信や機器への送受信も行っていないので、ある程度の時間バッテリー駆動が可能であり、使用者は気付いた時に商用電源に切り替えられるようにしたものである。さらに、バッテリー駆動から商用電源にもどした時に、情報端末装置はトップメニューをすぐ表示するので、再度すぐに通常通り使用できるようにしたものである。
【００４６】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができ、システムの信頼性を確実に向上させることができるというものである。
【００４７】
例えば、情報端末装置に供給する電源が商用電源からバッテリー電源に変わった時、すなわち停電した時は、まず、情報端末装置の表示画面をトップメニューに強制的に遷移させて、表示画面としての液晶パネルのバックライトをＯＦＦにする。その後のタッチパネルは一切きかず、画面を触っても画面遷移は一切起こらないものとする。この時、停電したという報知画面は特に出さない。次に、情報端末装置本体の電源ＬＥＤのランプは通常時点灯しているが、停電により時間間隔２０ｍｓｅｃ点灯、９８０ｍｓｅｃ消灯で点滅させる。また、停電した瞬間警報音を１〜２秒程度鳴らす。この時の音は他の故障通知の時と同じ音を１回鳴らすものとする。
【００４８】
さらに、情報端末装置と家電機器との情報送受信は中止する。従って、この時に故障等が発生しても報知画面は表示されず、ログとしても残らない。また、情報処理センターサーバへの通信も中止する。
【００４９】
ただし、センサからの情報は情報端末装置に送信され、センサが反応した時は電話通報は機能する。この時の報知画面を表示するが、バックライトがオフのため見えない。また警報音も通常時と同じように吹鳴し、通常通り動作をするものとする。
【００５０】
次に、バッテリー駆動から商用電源に切り替わった場合は、電源ＬＥＤを点滅から点灯に変える。表示画面の液晶パネルのバックライトをオンにし、メインメニューを表示する。また、各家電機器や情報処理サーバとの情報の送受信も再開する。これによりすぐに通常動作が可能となる。
【００５１】
次に本実施の形態の情報端末装置について図面を参照しながら説明する。図２は本発明の第1の実施の形態で用いる情報端末装置の機能ブロック図を示すものである。以下に本実施の形態における構成を説明する。
【００５２】
図２に示す本実施の形態の情報端末装置１は、データ通信処理部２３、音声通信処理部２４、情報処理部２５、情報収集部２６、情報送信部２７、情報送受信部２８、バッテリー部３０、電源供給部４０、表示装置としての液晶パネル３１、電源ＬＥＤ３２、音声部３３とから構成されている。本情報端末装置１は、各家電機器等と無線通信２９によって接続されており、各機器からの情報収集を情報収集部２６によって行い、各機器へのデータ送信を情報送信部２７によって行う。これらの収集された情報等は情報処理部２５によって処理し、データ通信処理部２３を用いて、ルーター２、回線接続手段３を経由して外部に送受信することができる。この時の通信回線網はＡＤＳＬ等のデータ通信回線網２０である。
【００５３】
また、情報送受信部２８を用いてセンサ機器からの情報を送受信した後、そのセンサからの異常緊急情報を情報処理部２５で処理し、外線電話に電話をかけ音声通信処理部２４を用いて外線電話と通信を行う。
【００５４】
このような情報端末装置１において、情報端末装置１に供給する電源が商用電源４０からバッテリー電源３０に変わった時、すなわち停電時や電源コードがはずれたような時に、情報端末装置１の表示画面３１をトップメニューに遷移させ、表示画面の液晶パネル３１のバックライトを消灯させ、電源ＬＥＤ３２を点灯から点滅に変え、警報音を数秒間発生させ、情報処理サーバ装置への送受信を止め、機器からの情報の送受信も止めるようにすることによって、バッテリー電源で駆動されていることを使用者に対して明確にし、情報端末装置の使用の利便性を高めるようにする。
【００５５】
また、バッテリー駆動ではサーバへの情報送受信や機器への送受信も行っていないので、ある程度の時間バッテリー駆動が可能であり、使用者は気付いた時に商用電源に切り替えられるようにできる。さらに、バッテリー駆動から商用電源にもどした時に、情報端末装置はトップメニューをすぐ表示するので、再度通常通りすぐに使用が可能となる。
【００５６】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができるものである。
【００５７】
次に、本実施の形態の制御方法について図面を参照しながら説明する。図３は同実施の形態に係るシステムの処理手順を示すフローチャートを示すものである。以下に本実施の形態における構成フローを説明する。
【００５８】
まず、情報端末装置が通常通り使用可能な状態で、供給される電源である商用電源が止まった時、すなわち停電や電源コードがはずれたようなことが発生すると（ステップＳ１）、情報端末装置に供給する電源が商用電源からバッテリー電源に変わる（ステップＳ２）。バッテリー電源に変わった時、まず表示画面をトップメニューに強制的に遷移させる（ステップＳ３）。次に、表示装置である液晶パネルのバックライトを消灯させる（ステップＳ４）。電源ＬＥＤを点灯から点滅に変え（ステップＳ５）、警報音を数秒間発生させる（ステップＳ６）。また、情報処理サーバ装置への送受信を止め（ステップＳ７）、機器からの情報の送受信も受け付けないようにする（ステップＳ８）。こうすることによって、バッテリー電源で駆動されていることを使用者に対して明確にし、情報端末装置の使用の利便性を高めるようにする。
【００５９】
また、バッテリー駆動ではサーバへの情報送受信や機器への送受信も行っていないので、ある程度の時間バッテリー駆動が可能であり、使用者は気付いた時に商用電源に切り替えられるようにできる。
【００６０】
なお、これらの順序は本実施の形態に限定されるものではなく、順序が入れ替わっていてもよい。
【００６１】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、従って、情報端末装置の使用の利便性、信頼性を高めることができるものである。
【００６２】
（実施の形態２）
実施の形態２の情報システムについて説明する。以下に本実施の形態における構成を説明する。
【００６３】
本実施の形態のシステムは、図１と同様に各家庭１００に設置された冷蔵庫１５、エアコン１６等の家電機器と人感センサ１７や開閉センサ１８等のセンサ機器を無線通信によって接続した情報端末装置１と、情報端末装置１のバックアップ電池としてのバッテリー３０、商用電源を供給するための電源供給部４０、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【００６４】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にあるセンターサーバ装置および通信装置と送受信することができるものである。
【００６５】
このような情報システムにおいて、情報端末装置に供給する電源が商用電源からバッテリー電源に変わった時、例えば停電時や電源コードが外れた時等に、情報端末装置の表示画面をトップメニューに遷移させ、表示画面のバックライトを消灯させ、電源ＬＥＤを点滅させ、警報音を発生させ、他の機能を全て停止させ、情報端末装置の使用の利便性、信頼性を高めるようにしたものである。
【００６６】
すなわち、本発明は、情報端末装置に供給する電源が商用電源からバッテリー電源に変わった時、すなわち停電時や電源コードがはずれたような時に、情報端末装置の表示画面をトップメニューに遷移させ、表示画面のバックライトを消灯させ、電源ＬＥＤを点滅させ、警報音を発生させ、他の機能、例えば情報処理サーバとの情報の送受信や機器との情報送受信、アプリケーションソフトウエアの起動等を全て止めることによって、バッテリー電源で駆動されていることを明確にし、情報端末装置の使用の利便性を高めるようにしたものである。
【００６７】
また、バッテリー駆動ではサーバへの情報送受信や機器への送受信、その他の機能も行っていないので、ある程度の時間バッテリー駆動が可能であり、使用者は気付いた時に商用電源に切り替えられるようにしたものである。さらに、バッテリー駆動から商用電源にもどした時に、情報端末装置はトップメニューをすぐ表示するので、再度すぐに通常通り使用できるようにしたものである。
【００６８】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができ、システムの信頼性を確実に向上させることができるというものである。
【００６９】
例えば、情報端末装置に供給する電源が商用電源からバッテリー電源に変わった時、すなわち停電した時は、まず、情報端末装置の表示画面をトップメニューに強制的に遷移させて、表示画面としての液晶パネルのバックライトをオフにする。その後のタッチパネルは一切きかず、画面を触っても画面遷移は一切起こらないものとする。この時、停電したという報知画面は特に出さない。次に、情報端末装置本体の電源ＬＥＤのランプは通常時点灯しているが、停電により時間間隔２０ｍｓｅｃ点灯、９８０ｍｓｅｃ消灯で点滅させる。また、停電した瞬間警報音を１〜２秒程度鳴らす。この時の音は他の故障通知の時と同じ音を１回鳴らすものとする。
【００７０】
さらに、情報端末装置と家電機器との情報送受信は中止する。従って、この時に故障等が発生しても報知画面は表示されず、ログとしても残らない。情報端末装置内のメモリーへのアクセスも中止する。但し、書き込み途中の場合は、書き込みを完了させる。また、情報処理センターサーバへの通信も中止する。アプリケーションソフトウエアの起動等を全て止める。
【００７１】
次に、バッテリー駆動から商用電源に切り替わった場合は、電源ＬＥＤを点滅から点灯に変える。表示画面の液晶パネルのバックライトをオンにし、メインメニューを表示し、メモリーへのアクセス禁止を解除する。アプリケーションソフトウエアの起動等を行う。また、各家電機器や情報処理サーバとの情報の送受信も再開する。これによりすぐに通常動作が可能となる。
【００７２】
次に本実施の形態の情報端末装置について説明する。以下に本実施の形態における構成を説明する。
【００７３】
本実施の形態の情報端末装置１は、図２と同様にデータ通信処理部２３、音声通信処理部２４、情報処理部２５、情報収集部２６、情報送信部２７、情報送受信部２８、バッテリー部３０、電源供給部４０、表示装置としての液晶パネル３１、電源ＬＥＤ３２、音声部３３とから構成されている。本情報端末装置１は、各家電機器等と無線通信２９によって接続されており、各機器からの情報収集を情報収集部２６によって行い、各機器へのデータ送信を情報送信部２７によって行う。これらの収集された情報等は情報処理部２５によって処理し、データ通信処理部２３を用いて、ルーター２、回線接続手段３を経由して外部に送受信することができる。この時の通信回線網はＡＤＳＬ等のデータ通信回線網２０である。
【００７４】
また、情報送受信部２８を用いてセンサ機器からの情報を送受信した後、そのセンサからの異常緊急情報を情報処理部２５で処理し、外線電話に電話をかけ音声通信処理部２４を用いて外線電話と通信を行う。
【００７５】
このような情報端末装置１において、情報端末装置１に供給する電源が商用電源４０からバッテリー電源３０に変わった時、すなわち停電時や電源コードがはずれたような時に、情報端末装置の表示画面３１をトップメニューに遷移させ、表示画面の液晶パネル３１のバックライトを消灯させ、電源ＬＥＤ３２を点灯から点滅に変え、警報音を数秒間発生させ、他の機能、例えば情報処理サーバ装置への送受信、機器からの情報の送受信、アプリケーションソフトウエアの起動等を全て止めるようにすることによって、バッテリー電源で駆動されていることを使用者に対して明確にし、情報端末装置の使用の利便性を高めるようにする。
【００７６】
また、バッテリー駆動ではサーバへの情報送受信や機器への送受信、アプリケーションソフトウエアの起動等を全て行っていないので、ある程度の時間バッテリー駆動が可能であり、使用者は気付いた時に商用電源に切り替えられるようにできる。さらに、バッテリー駆動から商用電源にもどした時に、情報端末装置はトップメニューをすぐ表示するので、再度通常通りすぐに使用が可能となる。
【００７７】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができるものである。
【００７８】
次に、本実施の形態の制御方法について図面を参照しながら説明する。図４は同実施の形態に係るシステムの処理手順を示すフローチャートを示すものである。以下に本実施の形態における構成フローを説明する。
【００７９】
まず、情報端末装置が通常通り使用可能な状態で、供給される電源である商用電源が止まった時、すなわち停電や電源コードがはずれたようなことが発生すると（ステップＳ１１）、情報端末装置に供給する電源が商用電源からバッテリー電源に変わる（ステップＳ１２）。バッテリー電源に変わった時、まず表示画面をトップメニューに強制的に遷移させる（ステップＳ１３）。次に、表示装置である液晶パネルのバックライトを消灯させる（ステップＳ１４）。電源ＬＥＤを点灯から点滅に変え（ステップＳ１５）、警報音を数秒間発生させる（ステップＳ１６）。また、他の機能、例えば情報処理サーバ装置への送受信や機器からの情報の送受信、アプリケーションソフトウエアの起動等を中止する（ステップＳ１７）。こうすることによって、バッテリー電源で駆動されていることを使用者に対して明確にし、情報端末装置の使用の利便性を高めるようにする。
【００８０】
また、バッテリー駆動ではサーバへの情報送受信や機器への送受信、他のアプリケーションソフトウエアの起動も行っていないので、ある程度の時間バッテリー駆動が可能であり、使用者は気付いた時に商用電源に切り替えられるようにできる。すなわち、供給される電源である商用電源が回復した時、すなわち停電がなおったり電源コードを入れなおすと（ステップＳ１８）、情報端末装置に供給する電源がバッテリー電源から商用電源に変わる（ステップＳ１９）。バッテリー駆動から商用電源にもどした時に、情報端末装置はトップメニューをすぐ表示するので、再度通常通りすぐに使用が可能となる。
【００８１】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができるものである。
【００８２】
なお、これらの順序は本実施の形態に限定されるものではなく、順序が入れ替わっていてもよい。
【００８３】
（実施の形態３）
本実施の形態の制御方法について図面を参照しながら説明する。図５は同実施の形態に係るシステムの処理手順を示すフローチャートを示すものである。以下に本実施の形態における構成フローを説明する。
【００８４】
まず、情報端末装置が通常通り動作を開始し（ステップ２１）、情報処理サーバや各機器との情報の送受信を行っている（ステップ２２）。この時、情報端末装置に供給される電源である商用電源が止まった時、すなわち停電や電源コードがはずれたようなことが発生すると（ステップＳ２３）、情報端末装置に供給する電源が商用電源からバッテリー電源に変わる（ステップＳ２４）。そうすると、情報処理サーバ装置への送受信や機器からの情報の送受信等を中止する（ステップＳ２５）。次に、表示画面をトップメニューに強制的に遷移させ（ステップＳ２６）、表示装置である液晶パネルのバックライトを消灯させる（ステップＳ２７）。さらに、電源ＬＥＤを点灯から点滅に変え（ステップＳ２８）、警報音を数秒間発生させる（ステップＳ２９）。こうすることによって、バッテリー電源で駆動されていることを使用者に対して明確にし、情報端末装置の使用の利便性を高めるようにする。
【００８５】
また、バッテリー駆動ではサーバへの情報送受信や機器への送受信、他のアプリケーションソフトウエアの起動も行っていないので、ある程度の時間バッテリー駆動が可能であり、使用者は気付いた時に商用電源に切り替えられるようにできる。すなわち、供給される電源である商用電源が回復した時、すなわち停電がなおったり電源コードを入れなおすと、情報端末装置に供給する電源がバッテリー電源から商用電源に変わる（ステップＳ３０）。バッテリー駆動から商用電源にもどすと、情報端末装置はトップメニューをすぐ表示するので、再度通常通りすぐに使用が可能となる。
【００８６】
以上のような構成とすることにより、本発明によれば、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるものである。従って、情報端末装置の使用の利便性、信頼性を高めることができるものである。
【００８７】
なお、今までの実施の形態ではブロードバンドのインターネット回線としてＡＤＳＬで説明したが、これに限らずアナログ電話網以外のあらゆる通信方式であってもよい。
【００８８】
また、これらの情報端末装置、情報システム、制御方法を情報端末装置の情報処理部で行うためには、情報端末装置内のＣＰＵコンピュータに実行させるためのプログラムを記録したことを特徴とするコンピュータ読み取り可能な独自のプログラムが必要である。
【産業上の利用可能性】
【００８９】
以上のように、本発明にかかる情報システム、情報端末装置、制御方法、およびそのプログラムは、情報端末装置がバッテリー電源で駆動されていることが使用者にすぐに明確に認識でき、気付いた時に商用電源に切り替えることができ、バッテリーによる駆動可能時間をある程度延ばすことができ、さらに、商用電源にもどった時にすぐにトップメニューから使用することができるので、情報端末装置の使用の利便性、信頼性を高めることができ、システムの信頼性を確実に向上させることができ、家庭内全てのネットワークシステムの異常表示等としても有用である。
【図面の簡単な説明】
【００９０】
【図１】本発明の第1の実施の形態に係るシステム全体を概略的に示す構成説明図
【図２】同実施の形態で用いる情報端末装置の機能ブロック図
【図３】同実施の形態に係るシステムの処理手順を示すフローチャート
【図４】本発明の第２の実施の形態に係るシステムの処理手順を示すフローチャート
【図５】本発明の第３の実施の形態に係るシステムの処理手順を示す図
【符号の説明】
【００９１】
１  情報端末装置
１０  情報処理サーバ装置
１１  通信装置
１３  データ通信回線網
１４  音声通信回線網
２３  データ通信処理部
２５  情報処理部
２８  情報送受信部
３０  バッテリー部
３１  液晶パネル（表示装置部）
３２  電源ＬＥＤ
３３  音声部
４０  電源供給部
【図１】
2005110167.tif 000003
【図２】
2005110167.tif 000004
【図３】
2005110167.tif 000005
【図４】
2005110167.tif 000006
【図５】
2005110167.tif 000007